(57)【要約】【課題】カップ形状部分１１ｂの開口端部１１ｄから周囲に漏れ出る光の量を適宜調整できるＬＥＤランプ１０を提供すること【解決手段】ハウジング１１のカップ形状部分１１ｂの開口端部１１ｄにフード１２を進退可能に組み付け、フード１２を前進叉は後退させることによりカップ形状部分１１ｂの開口端部１１ｄから周囲に漏れ出る光の量を調整する。ハウジング１１の後端部側からフード１２を装着し、フック片１２ａとフランジ部１１ｅの係合によってフード１２がカップ形状部分１１ｂの開口端部１１ｄから脱落するのを防止する。また、フード１２を後退してハウジング１１から取り外す。【選択図】図１
2013080596.tif 000002
【特許請求の範囲】
【請求項１】
前端側をカップ形状に形成し、後端部に口金を固定し、カップ形状部分の内周面に反射層を形成したハウジングを備え、カップ形状部分の底部にＬＥＤチップを固定し、ＬＥＤチップに電力を供給する点灯回路をハウジングに内蔵し、点灯回路と口金を電気的に接続したＬＥＤランプであって、
カップ形状部分の開口端部にフードをカップ形状部分の中心線方向に進退可能に組み付けたことを特徴とするＬＥＤランプ。
【請求項２】
カップ形状部分の開口端部にカップ形状部分の径方向外側に突出するフランジ部を形成し、
フードの後端部にフードの径方向内側に突出するフック片を形成し、
フードをハウジングの後端部側から装着し、
フック片がフードの前進端でフランジ部に係合するように構成したことを特徴とする請求項１に記載のＬＥＤランプ。
【請求項３】
カップ形状部分の開口端部にカップ形状部分の径方向外側に突出するフランジ部を形成し、
フードの後端部にフードの径方向内側に突出する少なくとも２個のフック片を形成するとともに、両フック片を対向するように配置し、
各フック片がフードをカップ形状部分側から装着してフランジ部に圧接したとき、フードの外側方向へ撓むように各フック片の両側にスリットを形成し、
フードをカップ形状部分側からハウジングに装着し、
両フック片がフードの前進端でフランジ部に係合するように構成したことを特徴とする請求項１に記載のＬＥＤランプ。
【請求項４】
カップ形状部分の開口端部にカップ形状部分の径方向外側に突出するフランジ部を形成し、
フードの後端部にフードの径方向内側に突出するフック片を形成するとともに、フードが径方向に拡開するようにフードの周面に一本のスリットを形成し
フードをハウジングの後端部側から装着し、叉はフードを拡開してカップ形状部分側からハウジングに装着し、
フック片がフードの前進端でフランジ部に係合するように構成したことを特徴とする請求項１に記載のＬＥＤランプ。
【請求項５】
カップ形状部分の開口端部にカップ形状部分の径方向外側に突出するフランジ部を形成し、
フードの後端部にフードの径方向内側に突出するフック片を形成するとともに、フードの内周面に複数本のリング溝を前後方向に並列して形成し、かつフードが径方向に拡開するようにフードの周面に一本のスリットを形成し、
フードをハウジングの後端部側から装着し、叉はフードを拡開してカップ形状部分側からハウジングに装着し、
フック片がフードの前進端でフランジ部に係合するように構成するとともに、フードを後退させたときいずれかのリング溝にフランジ部が嵌合してフードが位置決めされるように構成したことを特徴とする請求項１に記載のＬＥＤランプ。
【請求項６】
カップ形状部分の開口端部の外周部に雄ねじを形成し、
フードの内周面に雌ねじを形成し、
カップ形状部分の開口端部の雄ねじにフードの雌ねじをねじ込んでフードをカップ形状部分の開口端部に進退可能に組み付けたことを特徴とする請求項１に記載のＬＥＤランプ。
【請求項７】
フードをカップ形状部分の開口端部に回転可能に組み付け、
フードの周面に透明部分と不透明部分を形成したことを特徴とする請求項１に記載のＬＥＤランプ。
【請求項８】
フードの内径が後端部から前端部にかけて漸増するようにフードを形成したことを特徴とする請求項１に記載のＬＥＤランプ。
【請求項９】
フードを半透明材料で成型したことを特徴とする請求項１に記載のＬＥＤランプ。 
【発明の詳細な説明】
【技術分野】
【０００１】
本発明は、ＬＥＤチップを光源として内蔵するＬＥＤランプに関する。
【背景技術】
【０００２】
ＬＥＤランプの一形式として、特開２０１１−１７５９７８号公報にはハロゲン電球を代替してスポット用光源に使用するに好適なＬＥＤランプの構成が開示されている。
【０００３】
このＬＥＤランプは、前端側をカップ形状に形成したハウジングを備えている。ハウジングの後端部には口金が固定され、ハウジングのカップ形状部分の底部にＬＥＤチップが固定されている。また、ＬＥＤチップに電力を供給する点灯回路がハウジングに内蔵され、点灯回路と口金が電気的に接続されている。
【先行技術文献】
【特許文献】
【０００４】
【特許文献１】特開２０１１−１７５９７８号公報
【発明の概要】
【発明が解決しようとする課題】
【０００５】
この種のＬＥＤランプでは、カップ形状部分の深さが浅過ぎると、カップ形状部分の底部に固定したＬＥＤチップから放射されカップ形状部分の内周面で反射してカップ形状部分の開口端部から周囲に漏れ出る光が多くなる。そのため、ＬＥＤランプの周囲にいる人がまぶし過ぎると感じたり、ときには目に痛みを感じることもある。
一方、カップ形状部分の深さが深過ぎると、カップ形状部分の開口端部から漏れ出る光の量が少なくなり、漏れた光によってかもし出していた照明器具としての華やかさが減少する。
本発明はかかる問題点に鑑み、カップ形状部分の開口端部から周囲に漏れ出る光の量を適宜調整できるＬＥＤランプを提供することを目的とする。
【課題を解決するための手段】
【０００６】
請求項１に記載の発明は、前端側をカップ形状に形成したハウジングを備え、ハウジングの後端部に口金を固定し、ハウジングのカップ形状部分の底部にＬＥＤチップを固定し、ＬＥＤチップに電力を供給する点灯回路をハウジングに内蔵し、点灯回路と口金を電気的に接続したＬＥＤランプであって、
カップ形状部分の開口端部にフードをカップ形状部分の中心線方向に進退可能に組み付けたことを特徴とするＬＥＤランプ。
【０００７】
請求項２に記載の発明は、請求項１に記載のＬＥＤランプにおいて、カップ形状部分の開口端部にカップ形状部分の径方向外側に突出するフランジ部を形成し、
フードの後端部にフードの径方向内側に突出するフック片を形成し、
フードをハウジングの後端部側からカップ形状部分の開口端部に装着し、
フック片がフードの前進端でフランジ部に係合するように構成したことを特徴とする。
【０００８】
請求項３に記載の発明は、請求項１に記載のＬＥＤランプにおいて、カップ形状部分の開口端部にカップ形状部分の径方向外側に突出するフランジ部を形成し、
テーパ面とテーパ面に続く段部でフードの後端部にフードの径方向内側に突出するフック片を形成し、
フードをカップ形状部分側から装着してフック片のテーパ面をフランジ部に圧接したとき、フック片がフードの径方向外側へ撓むようにフック片の両側にスリットを形成し、
フードをハウジングの後端部側からまたはカップ形状部分側からカップ形状部分の開口端部に装着し、
フック片の段部がフードの前進端でフランジ部に係合するように構成したことを特徴とする。
【０００９】
請求項４に記載の発明は、請求項１に記載のＬＥＤランプにおいて、
カップ形状部分の開口端部にカップ形状部分の径方向外側に突出するフランジ部を形成し、
フードの後端部にフードの径方向内側に突出するフック片を形成するとともに、フードが径方向に拡開するようにフードの周面に一本のスリットを形成し
フードをハウジングの後端部側から、またはフードを拡開してカップ形状部分側からカップ形状部分の開口端部に装着し、
フック片がフードの前進端でフランジ部に係合するように構成したことを特徴とする。
【００１０】
請求項５に記載の発明は、請求項１に記載のＬＥＤランプにおいて、カップ形状部分の開口端部にカップ形状部分の径方向外側に突出するフランジ部を形成し、
フードの後端部にフードの径方向内側に突出するフック片を形成するとともに、フードの内周面に複数本のリング溝を前後方向に並列して形成し、かつフードが径方向外側に拡開するようにフードの周面に一本のスリットを形成し、
フードをハウジングの後端部側から装着し、叉はフードを拡開してカップ形状部分側からカップ形状部分の開口端部に装着し、
フック片がフードの前進端でフランジ部に係合するように構成するとともに、フードを進退させたときいずれかのリング溝にフランジ部が嵌合してフードが位置決めされるように構成したことを特徴とする。
【００１１】
請求項６に記載の発明は、請求項１に記載のＬＥＤランプにおいて、カップ形状部分の開口端部の外周部に雄ねじを形成し、
フードの内周面に雌ねじを形成し、
カップ形状部分の開口端部の雄ねじにフードの雌ねじをねじ込んでフードをカップ形状部分の開口端部に進退可能に組み付けたことを特徴とする。
【００１２】
請求項７に記載の発明は、請求項１に記載のＬＥＤランプにおいて、
フードをカップ形状部分の開口端部に回転可能に組み付け、
フードの周面に透明部分と不透明部分を形成したことを特徴とする。
【００１３】
請求項８に記載の発明は、請求項１に記載のＬＥＤランプにおいて、フードが透明若しくは半透明の樹脂から成り、内周面にエンボッシング加工を施したことを特徴とする。
【００１４】
請求項９に記載の発明は、請求項１に記載のＬＥＤランプにおいて、カップ形状部分の開口端部にカップ形状部分の径方向外側に突出するフランジ部を形成し、
後端部にフードの径方向内側に突出する一対のフック片を、各フック片がフードの中心線に関して対称配置されるように形成し、
フック片の両側及び両フック片の間に複数本のスリットを形成し、
フードをハウジングの後端部側から、またフードの周面の対向する２箇所を外側から圧迫して両フック片の間隔を広げることによりカップ形状部分側からカップ形状部分の開口端部に装着し、
フック片がフードの前進端でフランジ部に係合するように構成したことを特徴とする。
【発明の効果】
【００１５】
請求項１に記載の発明によれば、カップ形状部分の開口端部にフードを進退可能に組み付けたので、フードを前進叉は後退させることによりカップ形状部分の開口端部から周囲に漏れ出る光の量を調整できる。
【００１６】
請求項２に記載の発明によれば、フードを前進させたとき、前進端でフック片がフランジ部に係合するので、カップ形状部分の開口端部から脱落するのを防止できる。また、フードを後退させればハウジングから取り外すことができる。そのためフードの組み付け作業や取り外し作業を容易に行うことができる。
【００１７】
請求項３に記載の発明によれば、フードを前進させたとき、前進端でフック片の段部がフランジ部に係合するので、カップ形状部分の開口端部から脱落するのを防止できる。また、フードを後退させればハウジングから取り外すことができる。さらにまた、フードはハウジングの後端部側からだけでなくカップ形状部分側からもカップ形状部分の開口端部に装着できる。そのためフードの組み付け作業や取り外し作業を容易に行うことができる。
【００１８】
請求項４に記載の発明によれば、フードを前進させたとき、前進端でフック片がフランジ部に係合するので、カップ形状部分の開口端部から脱落するのを防止できる。また、フードをハウジングの後端部側から装着し、またはフードを拡開してカップ形状部分側からハウジングに装着できるので、フードの組み付け作業や取り外し作業を容易に行うことができる。
【００１９】
請求項５に記載の発明によれば、フードを前進させたとき、前進端でフック片がフランジ部に係合するので、カップ形状部分の開口端部から脱落するのを防止できる。また、フードをハウジングの後端部側から装着し、またはフードを拡開してカップ形状部分側からハウジングに装着できるので、フードの組み付け作業や取り外し作業を容易に行うことができる。さらにまた、フードを進退させたときいずれかのリング溝にフランジ部が嵌合してフードが位置決めされるので、フードの前後位置調整が容易になる。
【００２０】
請求項６に記載の発明によれば、フードをカップ形状部分の開口端部にねじ着けるので、フードの組み付け作業や取り外し作業を容易に行うことができる。また、雄ねじと雌ねじによってフードの前後位置を微調整できる。
【００２１】
請求項７に記載の発明によれば、フードの前後位置調整と透明部分の回転位置調整によってカップ形状部分から漏れる光の量を調整できる。
【００２２】
請求項８に記載の発明によれば、ＬＥＤチップの光がフードの内周面で乱反射し、フードを通過してフードの周囲に光が漏れるので、漏れた光によって華やかな雰囲気を演出できる。
【００２３】
請求項９に記載の発明によれば、フードをハウジングの後端部側からだけでなくカップ形状部分側からもカップ形状部分の開口端部に装着できる。そのためフードの組み付け作業や取り外し作業を容易に行うことができる。
【図面の簡単な説明】
【００２４】
【図１】本発明の第１実施例に係るＬＥＤランプを示す断面図である。
【図２】本発明の第１実施例に係るＬＥＤランプに装着されるフードを示す斜視図である。
【図３】本発明の第２実施例に係るＬＥＤランプを示す断面図である。
【図４】本発明の第２実施例に係るＬＥＤランプに装着されるフードを示す斜視図である。
【図５】本発明の第３実施例に係るＬＥＤランプに装着されるフードを示す斜視図である。
【図６】本発明の第４実施例に係るＬＥＤランプを示す断面図である。
【図７】本発明の第４実施例に係るＬＥＤランプに装着されるフードを示す斜視図である。
【図８】本発明の第５実施例に係るＬＥＤランプを示す斜視図である。
【図９】本発明の第６実施例に係るＬＥＤランプに装着されるフードを示す斜視図である。
【図１０】本発明の第７実施例に係るＬＥＤランプに装着されるフードを示す斜視図である。
【図１１】本発明の第８実施例に係るＬＥＤランプに装着されるフードを示す斜視図である。
【図１２】本発明の第８実施例に係るＬＥＤランプに装着されるフードを示す断面図である。
【実施例１】
【００２５】
以下に本発明を図面に基づき説明するに、図１には本発明の第１実施例に係るＬＥＤランプ１０が示されている。また、図２には当該ＬＥＤランプに装着されるフードが示されている。当該ＬＥＤランプ１０は熱伝導性と放熱性に優れたアルミニウム等の金属材料から成るハウジング１１と両端に開口を有する円筒形のフード１２を備えている。
【００２６】
ハウジング１１は円筒形のハウジング本体１１ａと、ハウジング本体１１ａの前端部に設けられたカップ形状部分１１ｂ及びハウジング本体１１ａの後端部に設けられた小径筒部１１ｃから構成され、小径筒部１１ｃに国際規格に則った口金１３が固着されている。
ハウジング１１のカップ形状部分１１ｂの内周面には反射層１４が形成されている。カップ形状部分１１ｂの底部内側中央にはＬＥＤチップ１５を実装したモジュール基板１６が固定されている。また、ＬＥＤチップ１５に電力を供給する点灯回路１７がハウジング本体１１ａに内蔵されている。点灯回路１７とモジュール基板１６及び点灯回路１７と口金１３がリード線１８で電気的に接続されている。
【００２７】
ハウジング１１のカップ形状部分１１ｂの開口端部１１ｄには、カップ形状部分１１ｂの径方向外側に突出するフランジ部１１ｅが開口端部１１ｄの全周にわたって形成されている。一方、フード１２の後端開口部にフード１２の径方向内側に突出するリング状のフック片１２ａが後端開口部の全周にわたって形成されている。
【００２８】
フード１２は不透明な樹脂成型品で、内径がフランジ部１１ｅに摺動可能かつ回転可能に嵌合する大きさに形成されている。このフード１２は口金１３が取り付けられているハウジング１１の後端部側からハウジング１１に被せてカップ形状部分１１ｂの開口端部１１ｄに、カップ形状部分１１ｂの中心線方向に沿って、フランジ部１１ｅの外周面に摺接しながら前後方向に進退可能に装着されている。そして、フード１２の前進端でフック片１２ａがフランジ部１１ｅに係合するので、フード１２を前進させたときカップ形状部分１１ｂの開口端部１１ｄから脱落することはない。
【００２９】
第１実施例に係るＬＥＤランプ１０によれば、ハウジング１１のカップ形状部分１１ｂの開口端部１１ｄにフード１２を進退可能に組み付けたので、フード１２を前進叉は後退させることによりカップ形状部分１１ｂの開口端部１１ｄから周囲に漏れ出る光の量を適宜調整できる。
【００３０】
ハウジング１１の後端部側からフード１２を装着すれば、フック片１２ａとフランジ部１１ｅの係合によってフード１２がカップ形状部分１１ｂの開口端部１１ｄから脱落するのを防止できる。また、フード１２を後退させればハウジング１１から取り外すことができる。そのためフード１２の組み付け作業や取り外し作業を容易に行うことができる。
【実施例２】
【００３１】
図３に本発明の第２実施例に係るＬＥＤランプ２０を示す。また、図４に当該ＬＥＤランプに装着されるフード２１を示す。当該ＬＥＤランプ２０のフード２１の後端部には２個のフック片２１ａがフード２１の中心線に関して対称位置に形成されている。各フック片２１ａはテーパ面２１ｂとそれに続く段部２１ｃから構成され、テーパ面２１ｂによってフック片２１ａの厚みがフード２１の後端部から前端部側へと漸増している。各フック片２１ａ両側にはフック片２１ａがフード２１の径方向外側へ撓むようにスリット２１ｄが形成されている。
なお、第２実施例に係るＬＥＤランプ２０の他の構成は第１実施例に係るＬＥＤランプ１０と同じであるので、同一の構成要素に同一の符号を付して説明を省略する。
【００３２】
第２実施例に係るＬＥＤランプ２０では、フード２１をハウジング１１の後端部側からまたはカップ形状部分１１ｂ側からカップ形状部分１１ｂの開口端部１１ｄに装着する。カップ形状部分１１ｂ側から装着するときは、フック片２１のテーパ面２１ｂをフランジ部１１ｅに圧接する。これに伴い、フック片２１ａがフード２１の径方向外側へ撓むのでテーパ面２１ｂがフランジ部１１ｅを通過し、段部２１ｃがフランジ部１１ｅに係合する。
第２実施例に係るＬＥＤランプ２０によれば、フード２１を前進させたとき、前進端でフック片２１ａの段部２１ｃがフランジ部１１ｅに係合するので、カップ形状部分１１ｂの開口端部１１ｄからフード２１が脱落するのを防止できる。また、フード２１を後退させればハウジング１１から取り外すことができる。さらにまた、フード２１はハウジング１１の後端部側からだけでなくカップ形状部分１１ｂ側からもカップ形状部分１１ｂの開口端部１１ｄに装着できる。そのためフード２１の組み付け作業や取り外し作業を容易に行うことができる。
【実施例３】
【００３３】
本発明の第３実施例に係るＬＥＤランプに装着するフード３１を図５に示す。当該フード３１は弾性を有する不透明な樹脂成型品で、内径がフランジ部１１ｅの外径寸法より僅かに小さくなるように成形されている。第１実施例に係るＬＥＤランプ１０のフード１２と同様に後端部にリング状のフック３片３１ａが形成されている。また、周面にフード３１の中心線と平行に延びる一本のスリット３１ｂが形成され、スリット３１ｂによって周面が分割されているので、フード３１を弾力に抗し径方向外側へ拡開することができる。
【００３４】
このフード３１は拡開するので、ハウジング１１の後端部側だけでなく、カップ形状部分１１ｂの開口端部１１ｄ側からも開口端部１１ｄに装着することができる。拡開して装着したフード３１はそれ自身の弾性により開口端部１１ｄのフランジ部１１ｅの外周部に圧接するので、ガタつくことなく進退可能、かつ回転可能に開口端部１１ｄに装着できる。
【実施例４】
【００３５】
本発明の第４実施例に係るＬＥＤランプ４０を図６に示す。また、当該ＬＥＤランプ４０に装着されるフード４１を図７に示す。当該ＬＥＤランプ４０のフード４１の後端部にはフード４１の径方向内側に突出するリング状のフック片４１ａが形成されている。フード４１の内周面には複数本のリング溝４１ｂが前後方向に並列して形成されている。フード４１の周面には、フード４１が径方向外側に拡開するように一本のスリット４１ｃが形成されている。
なお、第４実施例に係るＬＥＤランプ４０の他の構成は第１実施例に係るＬＥＤランプ１０と同じであるので、同一の構成要素に同一の符号を付して説明を省略する。
【００３６】
第４実施例に係るＬＥＤランプ４０では、フード４１をハウジング１１の後端部側から装着し、叉はフード４１を拡開してカップ形状部分１１ｂ側からカップ形状部分１１ｂの開口端部１１ｄに装着する。
第４実施例に係るＬＥＤランプ４０によれば、フード４１を前進させたとき、前進端でフック片４１ａがフランジ部１１ｅに係合するので、カップ形状部分１１ｂの開口端部１１ｄから脱落するのを防止できる。また、フード４１をハウジング１１の後端部側から装着し、またはフード４１を拡開してカップ形状部分１１ｂ側からハウジング１１に装着できるので、フード４１の組み付け作業や取り外し作業を容易に行うことができる。さらにまた、フード４１を進退させたときいずれかのリング溝４１ｂにフランジ部１１ｅが嵌合してフード４１が位置決めされるので、フード４１の前後位置調整が容易にできる。
【実施例５】
【００３７】
本発明の第５実施例に係るＬＥＤランプ５０を図８に示す。当該ＬＥＤランプ５０のカップ形状部分１１ｂの開口端部１１ｄの外周部に雄ねじ１１ｆが形成されている。一方、フード５１の内周面にはこの雄ねじ１１ｆに螺号する雌ねじ５１ａが形成されている。そして、フード５１はカップ形状部分１１ｂの開口端部１１ｄの雄ねじ１１ｆにフード５１の雌ねじ５１ａをねじ込むことによりカップ形状部分１１ｂの開口端部１１ｄに進退可能、かつ回転可能に組み付けられている。
なお、第５実施例に係るＬＥＤランプ５０の他の構成は第１実施例に係るＬＥＤランプ１０と同じであるので、同一の構成要素に同一の符号を付して説明を省略する。
【００３８】
第５実施例に係るＬＥＤランプ５０によれば、フード５１をカップ形状部分１１ｂの開口端部１１ｄにねじ着けるので、フード５１の組み付け作業や取り外し作業を容易に行うことができる。また、雄ねじ１１ｆと雌ねじ４１ａによってフード５１の前後位置を微調整できる。
【実施例６】
【００３９】
本発明の第６実施例に係るＬＥＤランプに装着されるフード６１を図９に示す。当該フード６１の後端部にはリング状のフック片６１ａが形成され、周面には透明部分６１ｂと不透明部分６１ｃが形成されている。
なお、第５実施例に係るＬＥＤランプの他の構成は第１実施例に係るＬＥＤランプ１０と同じである。
本実施例に係るＬＥＤランプによれば、フード６１の前後位置調整だけでなく、フード６１を回転させることによって透明部分６１ｂの回転位置を調整できる。そのためＬＥＤランプのカップ形状部分１１ｂから漏れる光の量や漏れる方向を調整できる。
【実施例７】
【００４０】
本発明の第７実施例に係るＬＥＤランプに装着されるフード７１を図１０に示す。当該フード７１は透明若しくは半透明の樹脂性型品で、後端部にはリング状のフック片が形成され、内周面にはエンボッシング加工により梨地の浅い凹凸加工７１ｂが施されている。そのため、ＬＥＤチップ１５の光がフード７１の内周面７１ｂで乱反射し、フード７１を通過してフード７１の周囲に光が漏れるので、漏れた光によって華やかな雰囲気を演出できる。
【実施例８】
【００４１】
本発明の第８実施例に係るＬＥＤランプに装着されるフード８１を図１１及び図１２に示す。当該フード８１の後端部にはフード８１の径方向内側に突出する一対のフック片８１ａ，８１ｂが二組形成されている。対を成すフック片８１ａ，８１ｂはフード８１の中心線に関して対称位置に配置されている。各フック片８１ａ，８１ｂの両側にはスリット８１ｃが形成されている。また、フック片８１ａ，８１ｂの間には対を成すスリット８１ｄ，８１ｅが二組形成されている。対を成すスリット８１ｄ，８１ｅはフード８１の中心線に関して対称位置に配置されている。
【００４２】
第８実施例に係るＬＥＤランプでは、フード８１をハウジング１１の後端部側から装着するか、若しくはフード８１の対を成すスリット８１ｄ，８１ｅの部分を外側から圧迫する。それに伴い対を成すフック片８１ａ，８１ｂの間隔が広がるので、カップ形状部分１１ｂ側からカップ形状部分１１ｂの開口端部１１ｄに装着できる。装着したフード８１はフック片８１ａ，８１ｂがフード８１の前進端でフランジ部１１ｅに係合するので、カップ形状部分１１ｂの開口端部１１ｄから脱落しない。
【００４３】
第８実施例に係るＬＥＤランプによれば、フード８１をハウジング１１の後端部側からだけでなくカップ形状部分１１ｂ側からもカップ形状部分１１ｂの開口端部１１ｄに装着できる。そのためフード８１の組み付け作業や取り外し作業を容易に行うことができる。
【符号の説明】
【００４４】
１０，２０，４０，５０…ＬＥＤランプ
１１…ハウジング
１１ｂ…カップ形状部分
１１ｄ…開口端部
１１ｅ…フランジ部
１１ｆ…雄ねじ
１２，２１，３１，４１，５１，６１，７１，８１…フード
１２ａ，２１ａ，３１ａ，４１ａ，６１ａ，７１ａ，８１ａ，８１ｂ…フック片
１３…口金
１５…ＬＥＤチップ
１６…モジュール基板
１７…点灯回路
２１ｂ…テーパ面
２１ｃ…段部
２１ｄ…スリット
３１ｂ…スリット
４１ｂ…リング溝
４１ｃ…スリット
５１ａ…雌ねじ
６１ｂ…透明部分
６１ｃ…不透明部分
７１ｂ…凹凸加工
８１ｃ…スリット
８１ｄ…スリット
【図１】
2013080596.tif 000003
【図２】
2013080596.tif 000004
【図３】
2013080596.tif 000005
【図４】
2013080596.tif 000006
【図５】
2013080596.tif 000007
【図６】
2013080596.tif 000008
【図７】
2013080596.tif 000009
【図８】
2013080596.tif 000010
【図９】
2013080596.tif 000011
【図１０】
2013080596.tif 000012
【図１１】
2013080596.tif 000013
【図１２】
2013080596.tif 000014
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
前端側をカップ形状に形成したハウジングを備え、ハウジングの後端部に口金を固定し、ハウジングのカップ形状部分の底部にＬＥＤチップを固定し、ＬＥＤチップに電力を供給する点灯回路をハウジングに内蔵し、点灯回路と口金を電気的に接続したＬＥＤランプであって、
カップ形状部分の開口端部にフードをカップ形状部分の中心線方向に進退可能に組み付けたことを特徴とするＬＥＤランプ。
【請求項２】
カップ形状部分の開口端部にカップ形状部分の径方向外側に突出するフランジ部を形成し、
フードの後端部にフードの径方向内側に突出するフック片を形成し、
フードをハウジングの後端部側からカップ形状部分の開口端部に装着し、
フック片がフードの前進端でフランジ部に係合するように構成したことを特徴とする請求項１に記載のＬＥＤランプ。
【請求項３】
カップ形状部分の開口端部にカップ形状部分の径方向外側に突出するフランジ部を形成し、
テーパ面とテーパ面に続く段部でフードの後端部にフードの径方向内側に突出するフック片を形成し、
フードをカップ形状部分側から装着してフック片のテーパ面をフランジ部に圧接したとき、フック片がフードの径方向外側へ撓むようにフック片の両側にスリットを形成し、
フードをハウジングの後端部側からまたはカップ形状部分側からカップ形状部分の開口端部に装着し、
フック片の段部がフードの前進端でフランジ部に係合するように構成したことを特徴とする請求項１に記載のＬＥＤランプ。
【請求項４】
カップ形状部分の開口端部にカップ形状部分の径方向外側に突出するフランジ部を形成し、
フードの後端部にフードの径方向内側に突出するフック片を形成するとともに、フードが径方向に拡開するようにフードの周面に一本のスリットを形成し
フードをハウジングの後端部側から、またはフードを拡開してカップ形状部分側からカップ形状部分の開口端部に装着し、
フック片がフードの前進端でフランジ部に係合するように構成したことを特徴とする請求項１に記載のＬＥＤランプ。
【請求項５】
カップ形状部分の開口端部にカップ形状部分の径方向外側に突出するフランジ部を形成し、
フードの後端部にフードの径方向内側に突出するフック片を形成するとともに、フードの内周面に複数本のリング溝を前後方向に並列して形成し、かつフードが径方向外側に拡開するようにフードの周面に一本のスリットを形成し、
フードをハウジングの後端部側から装着し、叉はフードを拡開してカップ形状部分側からカップ形状部分の開口端部に装着し、
フック片がフードの前進端でフランジ部に係合するように構成するとともに、フードを進退させたときいずれかのリング溝にフランジ部が嵌合してフードが位置決めされるように構成したことを特徴とする請求項１に記載のＬＥＤランプ。
【請求項６】
カップ形状部分の開口端部の外周部に雄ねじを形成し、
フードの内周面に雌ねじを形成し、
カップ形状部分の開口端部の雄ねじにフードの雌ねじをねじ込んでフードをカップ形状部分の開口端部に進退可能に組み付けたことを特徴とする請求項１に記載のＬＥＤランプ。
【請求項７】
フードをカップ形状部分の開口端部に回転可能に組み付け、
フードの周面に透明部分と不透明部分を形成したことを特徴とする請求項１に記載のＬＥＤランプ。
【請求項８】
フードが透明若しくは半透明の樹脂から成り、内周面にエンボッシング加工を施したことを特徴とする請求項１に記載のＬＥＤランプ。
【請求項９】
カップ形状部分の開口端部にカップ形状部分の径方向外側に突出するフランジ部を形成し、
後端部にフードの径方向内側に突出する一対のフック片を、各フック片がフードの中心線に関して対称配置されるように形成し、
フック片の両側及び両フック片の間に複数本のスリットを形成し、
フードをハウジングの後端部側から、またフードの周面の対向する２箇所を外側から圧迫して両フック片の間隔を広げることによりカップ形状部分側からカップ形状部分の開口端部に装着し、
フック片がフードの前進端でフランジ部に係合するように構成したことを特徴とする請求項１に記載のＬＥＤランプ。